(57)【要約】【課題】  残高情報及び年齢情報が記録されている非接触式の記録媒体によって商品を販売可能な自動販売機であって、商品購入の際の利便性が高く、また、例えば未成年であって販売が許可されない場合でもカードの残高確認が可能な自動販売機を提供する。【解決手段】  販売待機状態（Ｓ１）で非接触式ＩＣカードをかざすと、残高情報と年齢情報が読み取られて（Ｓ２）、残高情報が金額表示部４に表示され（Ｓ３）、次いで、年齢チェックが行われ（Ｓ４）、販売不許可のときは残高確認ができるよう残高情報の表示が所定時間続けられ（Ｓ５）、販売許可の場合は、残高情報の金額で販売可能な商品の販売ランプを点滅するよう（Ｓ７）構成する。【選択図】        図２
2005032194.tif 000002
【特許請求の範囲】
【請求項１】
残高情報及び年齢情報が記録されている非接触式の記録媒体または現金のいずれか一方または双方によって商品を販売可能な自動販売機であって、
前記記録媒体から残高情報と年齢情報を読み取る読取手段と、
該読取手段によって読み取られた残高情報を表示する残高表示手段と、
前記読取手段によって読み取られた年齢情報と予め設定されている販売許可年齢とを比較して、販売の可否を判定する年齢判定手段と、
該年齢判定手段によって販売が許可されると、前記残高情報と予め設定されている商品の販売価格とを比較して、販売可能な商品を表示する販売可能商品表示手段とを備え、
前記残高表示手段は、前記年齢判定手段によって販売が許可されないと、前記読取手段によって読み取られた残高情報を所定時間表示し続けた後、表示を停止することを特徴とする自動販売機。
【請求項２】
前記年齢判定手段によって販売が許可された後に現金が投入されると、投入金額または投入金額と非接触式記録媒体内に記録されている残高情報の金額を加算した金額を表示する投入金額表示手段を備え、
前記販売可能商品表示手段は、前記年齢判定手段によって販売が許可された後に現金が投入されると、投入金額または投入金額に非接触式記録媒体内に記録されている残高情報の金額を加算した金額と商品の販売価格とを比較して、販売可能な商品を表示することを特徴とする請求項１記載の自動販売機。
【発明の詳細な説明】
【技術分野】
【０００１】
本発明は、金額情報を記録した非接触の記録媒体を使用して商品を購入可能な自動販売機に関する。
【背景技術】
【０００２】
金額情報を記録した非接触のカード等記録媒体を使用して商品を購入可能な自動販売機であって、記録された金額情報によって販売可能な商品を示すランプを点灯あるいは点滅するようにしたものが従来から知られている（例えば、特許文献１参照。）。また、金額情報の他に年齢情報が記録されているカードを使用して、年齢情報から販売の可否を判定するようにしたものも知られている（例えば、特許文献２参照。）。そして、残高情報及び年齢情報が記録されている非接触式カードによって商品を販売する自動販売機として、カードをかざすとまず年齢チェックによって販売の可否が判定され、販売可能と判断されると商品の選択が可能となり、商品選択釦によって商品が選択された後、再びカードをかざすことによって、カードに記録されている残高情報から商品の金額が減算され、商品が払出されるようにした自動販売機も知られている（文献公知発明に係るものではない。）。
【特許文献１】特許第３２９６５７５号公報
【特許文献２】特開２００３−３０７２５号公報
【発明の開示】
【発明が解決しようとする課題】
【０００３】
ところで、金額情報を記録した非接触の記録媒体により商品を購入可能な自動販売機において、金額情報及び年齢情報が記録されている非接触式のカードを使用し、
年齢情報から販売の可否を判定する場合に、上記従来の自動販売機のように、カードをかざすとまず年齢チェックによって販売の可否が判定され、販売可能と判断されると商品の選択が可能となり、商品選択釦によって商品が選択された後、再びカードをかざすことによって、カードに記録されている残高情報から商品の金額が減算され、商品が払出されるというのでは、事前にカードの残高確認ができないため、カードをかざして年齢チェックを受けた後、商品選択釦によって商品を選択し、もう一度カードをかざしても、カードの残高が足りなくて商品を購入できないことがあるという問題があった。
【０００４】
また、上記従来の自動販売機では、年齢チェックを受け、商品選択釦によって商品を選択した後で、もう一度カードをかざさなければ残高確認をすることができないため、例えば成人でなければ残高確認をすることができず、利便性が悪いという問題があった。
【０００５】
本発明は、残高情報及び年齢情報が記録されている非接触式の記録媒体によって商品を販売可能な自動販売機であって、商品購入の際の利便性が高く、また、例えば未成年であって販売が許可されない場合でもカードの残高確認が可能な自動販売機を提供することを目的とする。
【課題を解決するための手段】
【０００６】
本発明の自動販売機は、残高情報及び年齢情報が記録されている非接触式の記録媒体または現金のいずれか一方または双方によって商品を販売可能な自動販売機であって、前記記録媒体から残高情報と年齢情報を読み取る読取手段と、該読取手段によって読み取られた残高情報を表示する残高表示手段と、前記読取手段によって読み取られた年齢情報と予め設定されている販売許可年齢とを比較して、販売の可否を判定する年齢判定手段と、該年齢判定手段によって販売が許可されると、前記残高情報と予め設定されている商品の販売価格とを比較して、販売可能な商品を表示する販売可能商品表示手段とを備え、前記残高表示手段は、前記年齢判定手段によって販売が許可されないと、前記読取手段によって読み取られた残高情報を所定時間表示し続けた後、表示を停止することを特徴とする。
【０００７】
この自動販売機は、カード等の記録媒体の読取り時に、残高情報と年齢情報を読取って、残高情報を表示するとともに、年齢判定で販売が許可された場合には、残高情報に基づいて販売可能な商品を表示する。そのため、商品を選択する前に残高が分かるとともに、表示に基づいて商品を選択でき、商品購入の際の利便性が向上する。また、この自動販売機は、年齢判定で販売が不許可となった場合でも、所定時間は残高情報を表示し続けるので、例えば未成年であっても残高確認が可能となる。
【０００８】
本発明の上記自動販売機は、また、前記年齢判定手段によって販売が許可された後に現金が投入されると、投入金額または投入金額と非接触式記録媒体内に記録されている残高情報の金額を加算した金額を表示する投入金額表示手段を備え、前記販売可能商品表示手段は、前記年齢判定手段によって販売が許可された後に現金が投入されると、投入金額または投入金額に非接触式記録媒体内に記録されている残高情報の金額を加算した金額と商品の販売価格とを比較して、販売可能な商品を表示するものとすることができ、そうすることで、商品購入の際の利便性が一層向上する。
【発明の効果】
【０００９】
このように、本発明の自動販売機は、商品を選択する前に残高が分かるとともに、表示に基づいて商品を選択できるため、商品購入の際の利便性が向上し、また、年齢判定で販売が不許可となった場合でも、所定時間は残高情報を表示し続けるので、例えば未成年であっても残高確認が可能となる。
【００１０】
また、本発明の自動販売機は、年齢判定で販売が許可された後、現金が投入されると、投入金額または投入金額と残高情報の金額を加算した金額に基づいて販売可能な商品を表示するよう構成することで、商品購入の際の利便性が一層向上する。
【発明を実施するための最良の形態】
【００１１】
図１および図２は本発明の実施の形態の一例を示す。図１は実施の形態の自動販売機の制御部のブロック図、図２は販売フローチャート図である。
【００１２】
この実施の形態の自動販売機は、残高情報及び年齢情報が記録されている非接触式記録媒体である非接触式ＩＣカードまたは現金のいずれか一方によって商品を販売可能な自動販売機である。この自動販売機は、前面扉（図示せず）に、非接触式ＩＣカード（図示せず）に記録されている残高情報及び年齢情報を読み取る読取手段であるとともに商品購入後の新たな残高情報を書き込む書込手段でもある非接触式ＩＣカードリーダ１（図１参照）が設けられ、販売される商品の見本を展示する商品展示部（図示せず）の下方に位置するよう、購入する商品を選択するための各商品選択釦２（図１参照）が設けられ、各商品選択釦２のそれぞれに対応して、商品の販売の可否を表示する販売ランプ３（図１参照）が設けられ、また、投入された現金や非接触式ＩＣカード内に記録されている残高金額を表示するための残高表示手段である金額表示部４（図１参照）が設けられている。
【００１３】
前面扉（図示せず）には、その他、購入した商品を投出する投出口、現金で商品を購入する際に現金を投入する現金投入口、商品購入後に釣銭があれば釣銭を払い出す釣銭払出口（いずれも図示せず）が設けられている。
【００１４】
上記金額表示部４には、購入する商品の価格や釣銭等の金額も表示される。また、金額表示部４に、投入された現金に非接触式ＩＣカード内の残高を加算した金額を表示するようにしてもよい。
【００１５】
また、この自動販売機の前面扉内側には、現金投入口からの現金を判別する現金判別ユニット５（図１参照）が設けられている。そして、自動販売機の本体内部に制御部６および販売される各商品の価格データを記録する記録手段７（図１参照）が設けられ、図１に示すように、制御部６には、非接触式ＩＣカードリーダ１、商品選択釦２、販売ランプ３、金額表示部４、現金識別ユニット５、記録手段７がそれぞれ接続されている。
【００１６】
次に、この実施の形態の自動販売機の販売動作のフローを図２を参照して説明する。以下の説明および図２の記載において、Ｓ１〜Ｓ２６は販売動作の各ステップを示す。
【００１７】
この自動販売機は、販売待機状態（Ｓ１）において、自動販売機に設けられている非接触式ＩＣカードリーダ１に非接触式ＩＣカードがかざされると、非接触式ＩＣカードリーダ１は、非接触式ＩＣカード内に記録されている残高情報と年齢情報を読み取る（Ｓ２）。
【００１８】
そして、制御部６は、非接触式ＩＣカードリーダ１によって読み取られた非接触式ＩＣカードの残高情報を金額表示部４に表示し、顧客に非接触式ＩＣカードの残高を知らせる（Ｓ３）。
【００１９】
そして、制御部６は、残高情報と同時に読み取られた年齢情報と、自動販売機に予め記録されている販売許可年齢とを比較し、年齢情報が販売許可年齢（例えば２０歳）以上か否かを判断する（Ｓ４）。そして、年齢情報が販売許可年齢（例えば２０歳）以上と判断すると、販売を許可して販売モードに切り換え、年齢情報が販売許可年齢よりも下と判断すると販売を許可せずに販売待機状態を維持する。
【００２０】
販売が許可されず待機状態が維持された場合には、制御部６は金額表示部４による非接触式ＩＣカードの残高情報の表示を所定時間続け、所定時間が経過すると金額表示部４の表示を停止する（Ｓ５）。こうして所定時間表示を続けることで、販売許可年齢に満たない顧客も、非接触ＩＣカードの残高を知ることができる。
【００２１】
また、販売が許可されて販売モードになると、制御部６は記録手段７に記録されている商品の価格データの内の最低価格と非接触式ＩＣカードから読み取った残高情報とを比較する（Ｓ６）。
【００２２】
そして、残高情報が価格データの最低価格以上であれば、全ての価格データと残高情報とを比較して、残高情報以下の価格の商品が対応している商品選択釦２の販売ランプ３を点滅させて、顧客に非接触式ＩＣカード内に記録されている残高で販売可能な商品を知らせる（Ｓ７）。
【００２３】
また、非接触式ＩＣカードの残高情報の金額が価格データの最低価格より少なければ、制御部６は、不足分の現金が投入されるまで所定時間販売モードで待機する（Ｓ８、Ｓ９）。そして、所定時間が経過しても不足分の現金が投入されなければ、商品を購入する意思がないものとして、販売モードから待機状態へと切り換える。
【００２４】
また、所定時間以内に不足分の現金が投入されれば、後述の現金による商品販売フローへと移行する。
【００２５】
また、非接触式ＩＣカードの残高で購入可能な商品の販売ランプ３が点滅すると、その後、新たに現金が投入されたか否かで、現金による商品販売フローとＩＣカードによる商品販売フローのいずれかに移行する（Ｓ１０）。
【００２６】
そして、ＩＣカードによる商品販売フローに移行した時は、商品選択釦２が押下されて商品が選択されると（Ｓ１１）、制御部６は、選択された商品の販売ランプ３を点灯し、他の販売ランプ３を消灯して、顧客に商品が選択されたことを知らせ（Ｓ１２）、選択された商品の価格を金額表示部４に表示する（Ｓ１３）。
【００２７】
その後、顧客が非接触式ＩＣカードを非接触式ＩＣカードリーダ１にかざすと（Ｓ１４）、非接触式ＩＣカードリーダ１は、非接触式ＩＣカードから残高情報を読み取る（Ｓ１５）。
【００２８】
そして、残高情報が読み取られると、制御部６は、残高情報と選択された商品の価格を比較し（Ｓ１６）、残高情報が選択された商品の価格以上であれば、残高情報から選択された商品の価格を減算し、減算によって求められた新たな残高情報を非接触式ＩＣカードの残高情報に上書きする（Ｓ１７）。
【００２９】
そして、非接触式ＩＣカードに残高情報が書き込まれると、制御部６は選択された商品を払い出し（Ｓ１８）、新たに非接触式ＩＣカードに書き込まれた残高情報を金額表示部４に表示する（Ｓ１９）。
【００３０】
その後、所定時間が経過すると、制御部６は、残高情報が表示されている金額表示部４を消灯し（Ｓ２０）、自動販売機を販売モードから販売待機状態に切り換える。
【００３１】
なお、非接触式ＩＣカードが非接触式ＩＣカードリーダ１にかざされて残高情報が読み取られ、制御部６が残高情報と選択された商品の価格を比較した時に（Ｓ１６）、残高情報が選択された商品の価格よりも少なければ、制御部６は、商品の購入が出来ないと判断して自動販売機を販売モードから販売待機状態に切り換える。
【００３２】
また、現金による商品販売フローに移行したときは、制御部６は、現金識別ユニット５によって識別された投入金額を金額表示部４に表示する（Ｓ２６）。
【００３３】
そして、全ての価格データと投入金額とを比較して、投入金額以下の価格の商品が対応している商品選択釦２に設けられている販売ランプ３を点滅させるとともに、投入金額よりも高い価格の商品が対応している商品選択釦２に設けられている販売ランプ３を消灯させて、顧客に販売可能な商品を知らせる（Ｓ２２）。
【００３４】
その後、販売ランプ３が点滅している商品選択釦２が押下され、商品が選択されると、制御部６は、押下された商品選択釦２の販売ランプ３を点灯し、他の販売ランプ３を消灯して、顧客に商品が選択されたことを知らせる（Ｓ２３）。
【００３５】
そして、商品が選択されると、制御部６は、選択された商品を投出し（Ｓ２４）、投入された金額から選択された商品の価格を減算して釣銭を求め、釣銭があれば、金額表示部４に釣銭金額を表示する（Ｓ２５）。
【００３６】
そして、釣銭を払い出した後、所定時間金額表示部４に釣銭金額を表示し続け、所定時間が経過すれば、金額表示部４を消灯する（Ｓ２６）。
【００３７】
その後、制御部６は、自動販売機を販売モードから販売待機状態に切り換える。
【００３８】
以上、実施の形態の一例として、現金または非接触式ＩＣカードいずれか一方によって商品を販売可能な自動販売機を説明したが、本発明の実施の形態の他の例として、現金が投入されたときに、現金と非接触式ＩＣカードの併用により商品を販売するよう自動販売機を構成することもできる。
【００３９】
この場合には、販売モードとなった後で現金が投入されると、制御部６は、投入金額と非接触式ＩＣカードの残高情報の金額を加算した金額を金額表示部４に表示する。
【００４０】
そして、全ての価格データと投入金額に非接触式ＩＣカードの残高情報の金額を加算した金額とを比較して、投入金額と非接触式ＩＣカードの残高情報の金額を加算した金額以下の価格の商品が対応している商品選択釦２の販売ランプ３を点滅させて、顧客に販売可能な商品を知らせる。
【００４１】
その後、販売ランプ３が点滅している商品選択釦２が押下され、商品が選択されると、制御部６は、押下された商品選択釦２の販売ランプ３を点灯し、他の販売ランプ３を消灯して、顧客に商品が選択されたことを知らせる。
【００４２】
そして、顧客が非接触式ＩＣカードを非接触式ＩＣカードリーダ１にかざすと、非接触式ＩＣカードリーダ１は、非接触式ＩＣカードから残高情報を読み取る。
【００４３】
そして、残高情報が読み取られると、制御部６は、投入金額に非接触式ＩＣカードの残高情報の金額を加算した金額と選択された商品の価格とを比較し、投入金額と非接触式ＩＣカードの残高情報の金額を加算した金額が選択された商品の価格以上であれば、投入金額と非接触式ＩＣカードの残高情報の金額を加算した金額から選択された商品の価格を減算し、減算によって求められた新たな残高情報を非接触式ＩＣカードの残高情報に上書きする。
【００４４】
なお、減算によって求められた新たな残高情報の金額は、釣銭として現金で払い出すようにしてもよい。
【００４５】
また、商品購入後の残高を新たな残高情報として非接触式ＩＣカードに記録するか、釣銭として現金で払い出すかは、自動販売機に現金・カード選択釦等を設けて、顧客が自由に選択できるようにしてもよい。
【００４６】
そして、非接触式ＩＣカードに残高情報が書き込まれると、制御部６は選択された商品を払い出し、新たに非接触式ＩＣカードに書き込まれた残高情報を金額表示部４に表示する。
【００４７】
その後、所定時間が経過すると、制御部６は、残高情報が表示されている金額表示部４を消灯し、自動販売機を販売モードから販売待機状態に切り換える。
【図面の簡単な説明】
【００４８】
【図１】本発明の実施の形態の自動販売機の制御部のブロック図。
【図２】本発明の実施の形態の自動販売機の販売フローチャート図。
【符号の説明】
【００４９】
１  非接触式ＩＣカードリーダ
２  商品選択釦
３  販売ランプ
４  金額表示部
５  現金判別ユニット
６  制御部
７  記録手段
【図１】
2005032194.tif 000003
【図２】
2005032194.tif 000004